(57)【要約】【課題】ペルチェ素子を用いたモジュールの冷却面を治療用の光が照射される患部に直接接触させて当該患部を効率的に冷却できるようにする。【解決手段】ペルチェモジュール２６には、上側基板２６３の切抜き部２６４と、透明部材から成る下側基板２６１と、両基板間の熱電変換素子２６５の未配列領域とによって、上下の基板２６１，２６３間を通って光を通過させる光通過部が形成される。スキャナヘッド２１からのレーザ光はペルチェモジュール２６の上側基板２６３の切抜き部２６４、熱電変換素子未配列領域、更には透明部材から成る下側の基板２６１を通過して当該基板２６１の下面が当接される皮膚（患部）に照射される。これにより、冷却側として駆動される当該基板２６１を患部に直接接触させて治療を行なうことができる。【選択図】  図４
2004215837.tif 000002
【特許請求の範囲】
【請求項１】
光源から患部に向けて光を照射する照射光学系と、前記照射光学系からの光が照射される患部に接触する接触面を有し、該接触面を介して患部を冷却する冷却ユニットとを有する皮膚治療装置において、
前記冷却ユニットは、
上側と下側の両基板の間にＰ型とＮ型の熱電変換素子を電気的に直列に接続されるように挟持して成る熱電変換素子モジュールであって、前記両基板が透明部材から構成され、前記両基板たる透明部材と前記両基板間の熱電変換素子未配列領域とによって、前記両基板を通って光を通過する光通過部が形成される熱電変換素子モジュール
によって構成され、
冷却側となるべく駆動される前記下側基板が前記接触面を成し、かつ前記照射光学系からの光が前記上側と下側の基板間の前記光通過部を通って前記患部に照射されるように配置される
ことを特徴とする皮膚治療装置。
【請求項２】
光源から患部に向けて光を照射する照射光学系と、前記照射光学系からの光が照射される患部に接触する接触面を有し、該接触面を介して患部を冷却する冷却ユニットとを有する皮膚治療装置において、
前記冷却ユニットは、
上側と下側の両基板の間にＰ型とＮ型の熱電変換素子を電気的に直列に接続されるように挟持して成る熱電変換素子モジュールであって、前記上側の基板が所定形状の切抜き部を有する非透明部材から構成されると共に、前記下側の基板が透明部材から構成され、前記上側の基板の前記切り抜き部、前記下側の基板たる透明部材及び前記両基板間の熱電変換素子未配列領域によって、前記両基板を通って光を通過する光通過部が形成される熱電変換素子モジュール
によって構成され、
冷却側となるべく駆動される前記下側基板が前記接触面を成し、かつ前記照射光学系からの光が前記上側と下側の基板間の前記光通過部を通って前記患部に照射されるように配置される
ことを特徴とする皮膚治療装置。
【請求項３】
前記透明部材は、サファイアガラスであることを特徴とする請求項１または２記載の皮膚治療装置。
【請求項４】
前記透明部材は、ダイヤモンドを被覆したガラスであることを特徴とする請求項１または２記載の皮膚治療装置。
【発明の詳細な説明】
【０００１】
【発明の属する技術分野】
本発明は、光源から患部に光を照射して脱毛等の治療を行う皮膚治療装置に関わり、詳しくは、光照射により発熱する患部に当接されて該患部を冷却する冷却ユニットの構造上の改良に関する。
【０００２】
【従来の技術】
この種の皮膚治療装置としては、例えば、皮膚にレーザ光を照射して、脱毛等を行うレーザ治療装置が知られている。
【０００３】
レーザ治療装置を用いて人体皮膚上の脱毛を行う場合は、レーザ光照中や照射後の患部の痛みを緩和させるために、事前に当該患部を冷やしてからレーザ光照射を行うようにしたり、あるいはレーザ光照射中もレーザ光が照射されるエリアを効率良く冷却することで、術中の熱傷や術後に生じる患部の腫れや色素沈着などの影響を小さくするような工夫が必要である。
【０００４】
このような目的から患部を冷やす機構としては、例えば、下記特許文献１のように、ペルチェ冷却装置を用いたものが知られている。
【０００５】
特許文献１記載の装置では、ペルチェ冷却装置に低温面と高温面とを貫通する開口部を設け、この開口部を通して患部への放射線の照射が行なわれる。その際に、低温面を患者の皮膚と直接接触させて患部を冷却するか、あるいは、低温面側の開口部にレンズ等の部材を介挿し、該部材を介して患部を間接的に冷却するようにしている。
【０００６】
【特許文献１】
特表２０００−５１５４１０号（特願平１０−５３２９０５号）公報
【発明が解決しようとする課題】
しかしながら、特許文献１記載の従来装置では、例えば、ペルチェ冷却装置の低温面を患者の皮膚と直接接触させて患部を冷却する場合には、放射線が照射される患部は開口部の位置にあり、冷却を必要とする当該患部に低温面が直接接触することがないため、当該患部を効率良く冷却できなかった。
【０００７】
また、ペルチェ冷却装置の低温面側の開口部にレンズ等の部材を介挿して患部を間接的に冷却する場合には、患部が接触するレンズ等の部材が低温面とは別の部材で構成されるため、両者の間の熱伝特性が低下し、患部の効率の良い冷却が望めないという問題点があった。
【０００８】
本発明は上述の問題点を解消し、ペルチェ素子を用いたモジュールの冷却面を治療用の光が照射される患部に直接接触させて光照射前及び光照射中に当該患部を効率的に冷却できる皮膚治療装置を提供することを目的とする。
【０００９】
【課題を解決するための手段】
上記目的を達成するために、請求項１記載の発明は、光源から患部に向けて光を照射する照射光学系と、前記照射光学系からの光が照射される患部に接触する接触面を有し、該接触面を介して患部を冷却する冷却ユニットとを有する皮膚治療装置において、前記冷却ユニットは、上側と下側の両基板の間にＰ型とＮ型の熱電変換素子を電気的に直列に接続されるように挟持して成る熱電変換素子モジュールであって、前記両基板が透明部材から構成され、前記両基板たる透明部材と前記両基板間の熱電変換素子未配列領域とによって、前記両基板を通って光を通過する光通過部が形成される熱電変換素子モジュールによって構成され、冷却側となるべく駆動される前記下側基板が前記接触面を成し、かつ前記照射光学系からの光が前記上側と下側の基板間の前記光通過部を通って前記患部に照射されるように配置されることを特徴とする。
【００１０】
請求項２記載の発明は、光源から患部に向けて光を照射する照射光学系と、前記照射光学系からの光が照射される患部に接触する接触面を有し、該接触面を介して患部を冷却する冷却ユニットとを有する皮膚治療装置において、前記冷却ユニットは、上側と下側の両基板の間にＰ型とＮ型の熱電変換素子を電気的に直列に接続されるように挟持して成る熱電変換素子モジュールであって、前記上側の基板が所定形状の切抜き部を有する非透明部材から構成されると共に、前記下側の基板が透明部材から構成され、前記上側の基板の前記切り抜き部、前記下側の基板たる透明部材及び前記両基板間の熱電変換素子未配列領域によって、前記両基板を通って光を通過する光通過部が形成される熱電変換素子モジュールによって構成され、冷却側となるべく駆動される前記下側基板が前記接触面を成し、かつ前記照射光学系からの光が前記上側と下側の基板間の前記光通過部を通って前記患部に照射されるように配置されることを特徴とする。
【００１１】
請求項３記載の発明は、上記請求項１または２記載の発明において、前記透明部材は、サファイアガラスであることを特徴とする。
【００１２】
請求項４記載の発明は、上記請求項１または２記載の発明において、前記透明部材は、ダイヤモンドを被覆したガラスであることを特徴とする。
【００１３】
【発明の実施の形態】
以下、本発明の実施の形態について添付図面を参照して詳細に説明する。
【００１４】
図１は、本発明に係わるレーザ治療装置の全体構成を示す図である。
【００１５】
このレーザ治療装置は、装置本体部１０と、ハンドピース２０を集中ケーブル３０で接続して構成される。
【００１６】
装置本体部１０には、外観上の構成として、本装置を運転するための各種の情報を表示したり、各種の指示を入力できるタッチパネルの機能を果たすＬＣＤパネル１１、患部がレーザ治療を開始できる温度まで冷却されたことをランプ点灯により報知する報知ランプ１２、同じく治療開始温度まで冷却されたことを音で報知する報知ブザー１３、患部に対するレーザ光の照射開始指示（トリガ）を足での操作により発生するフットスイッチ１４等が備わる。
【００１７】
ハンドピース２０は、ファイバーケーブル３１（図１では図示していないが、制御信号等を伝送するための通信ケーブル３３と一緒に集中ケーブル３０内に束ねられる）により集光されたレーザ光を走査するための光学系等が収納されたスキャナヘッド２１と、該スキャナヘッド２１を後述する冷却ユニット２５に対して支持するスキャナ支持部２３と、スキャナヘッド２１からのレーザ光を通過させるウィンドウを有し、該ウィンドウを通過するレーザ光が照射される皮膚に当接させて該当接部分の皮膚を冷却する冷却ユニット２５とを具備して構成される。
【００１８】
図２は冷却ユニット２５の構造を示す図であり、特に、同図（ａ）は冷却ユニット２５の上面図を示し、同図（ｂ）は同図（ａ）のＡ−Ａ線による概念側面構成を示している。
【００１９】
図２に示すように、冷却ユニット２５は、同図（ａ）の状態で見た下側の基板２６１と、該基板２６１に対向する上側の基板２６３との間に、Ｐ型とＮ型の熱電変換素子（ペルチェ素子）２６５とこれらを接合する電極板（図示せず）とを挟持して成る熱電変換素子モジュール（以下、ペルチェモジュールと略称する）２６と、該ペルチェモジュール２６を保持する側面形状が略Ｌ字形状のウィンドウフレーム２７を備えて構成される。
【００２０】
なお、ウィンドウフレーム２７は、図１に示すように、該ウィンドウフレーム２７に設けられるスライド孔２７１を通して止めねじ２７２により締め込むことによりスキャナ支持部２３に取り付けられる。
【００２１】
ここで、ウィンドウフレーム２７とスキャナ支持部２３とは、上記止めねじ２７２を緩めた状態で、止めねじ２７２がスライド孔２７１内を動けるのを利用して、上下にスライドさせることができる。このスライド機能によって、スキャナヘッド２１の上下の高さ調整が行なえる。
【００２２】
一方、ペルチェモジュール２６は、下側の基板２６１と上側の基板２６３との間にＮ型とＰ型の熱電変換素子２６５を縦及び横方向に交互に複数対並べたうえで、隣接する素子同士を下側の電極板（図示せず）と上側の接合板（図示せず）とで電気的に直列接続となるよう相互に接合したものである。
【００２３】
このペルチェモジュール２６において、下側の基板２６１は光学的に透明な部材、例えば、サファイアガラスによって構成されている。
【００２４】
また、上側の基板２６３は非透明部材を用いた基板（通常基板）から成るが、該基板２６３の中央部分を例えば四角形に切り抜いて切抜き部２６４が形成される。
【００２５】
また、下側基板２６１と上側基板２６３間における上記切抜き部２６４が形成される領域には、Ｐ型およびＮ型の熱電変換素子が未配列となっている。
【００２６】
このペルチェモジュール２６は、上述した如くウィンドウフレーム２７によってスキャナ支持部２３に支持され、より具体的には、スキャナヘッド２１から出射されるレーザ光が上側基板２６３の切抜き部２６４内の領域に入射し、熱電変換素子未配列領域を通過し、更に透明部材（サファイアガラス）から成る下側の基板２６１を通過して当該基板２６１の下面が当接される皮膚（患部）に照射されるように支持される。
【００２７】
つまり、本発明に係わるペルチェモジュール２６は、上側基板２６３の切抜き部２６４と、上側基板２６３と下側基板２６１間の熱電変換素子未配列領域および下側基板２６１たる透明部材とにより、上下の基板２６１，２６３間を通って光（レーザ光）を通過させる光通過部が形成されるものである。
【００２８】
このペルチェモジュール２６は、例えば図２（ｂ）に示すように、熱電変換素子２６５のうちの端部素子に接続されるリード線２６５ａ，２６５ｂを通じて例えば同図に示す極性で直流電圧を印加することで、Ｐ型熱電変換素子からＮ型熱電変換素子の方向に電流を流して下側の基板２６１を冷却することができる。
【００２９】
なお、この時、上側の基板２６３は発熱する。すなわち、この場合には、上側の基板２６３が発熱側基板、下側の基板２６１が冷却側基板として機能する。
【００３０】
上記冷却ユニット２５の更なる構成要素としては、ウィンドウフレーム２７の底面部に、例えばシート状のサーミスタを用いた温度センサ４０が設けられている。この温度センサ４０は、ペルチェモジュール２６の下側基板２６１の底面と略同一平面となるように取り付けられており、下側基板２６１の底面を皮膚上に当接させた時、同時に、温度センサ４０の表面も皮膚に接触して皮膚の温度を検出することが可能になっている。
【００３１】
図３は本発明に係わるレーザ治療装置の制御系の構成を示すブロック図である。
【００３２】
このレーザ治療装置の制御系の構成要素として、装置本体部１０には、図１に示したＬＣＤパネル１１、報知ランプ１２、報知ブザー１３、フットスイッチ１４の他、レーザ光を出射するレーザ光源１５，１６、装置全体の制御を行う制御部１７が設けられる。
【００３３】
ここで、レーザ光源１５は、例えば、８００〜８２０ｎｍの波長の近赤外光を出射する脱毛用の光源であり、レーザ光源１６は、例えば、６２０〜６５０ｎｍの波長の可視光を出射するエイミング用の光源である。
【００３４】
これらレーザ光源１５，１６から出射されたレーザ光は、ファイバーケーブル３１（集中ケーブル３０に一束ねにされる）を通じてハンドピース２０のスキャナヘッド２１内部の光学系に導光される。
【００３５】
また、上記ファイバーケーブル３１と共に集中ケーブル３０に一束ねにされる通信ケーブル３３は、制御部１７とハンドピース２０側との間の各種信号（ペルチェモジュール２６の駆動制御信号や、温度センサ４０の検出出力、ガルバノメーターの駆動等）の送受に用いられる。
【００３６】
一方、ハンドピース２０の制御系構成要素としては、図２で説明したペルチェモジュール２６、温度センサ４０の他、スキャナヘッド２１の光学系を構成する第１ガルバノメータ２１３ａ，第２ガルバノメータ２１４ａが備わる。
【００３７】
次に、この図３における制御系の構成を参照して本発明のレーザ治療装置の動作について説明する。
【００３８】
術者は、装置本体部１０のＬＣＤパネル１１に表示されている設定用キーを操作することで照射条件を設定し、レーザ光の照射準備を行う。この照射準備が整った後、術者はハンドピース２０を手で保持して冷却ユニット２５の底面〔ペチェモジュール２６の基板２６１底面〕を患部（皮膚）上に当接させる。
【００３９】
この時に、冷却ユニット２５のウィンドウフレーム２７下部に設けた温度センサ４０で皮膚の温度が検知され、その検知出力が通信ケーブル３３を通じて制御部１７に取り込まれる。
【００４０】
制御部１７は、温度センサ４０の検出出力に基づき、ペルチェモジュール２６に対して通信ケーブル３３を通じて図２（ａ）で示したような極性の駆動電圧が印加されるように制御する。この制御により、冷却ユニット２５内のペルチェモジュール２６の下側基板２６１が冷却し、当該基板２６１下面が接触している皮膚の冷却が開始される。
【００４１】
このペルチェモジュール２６の駆動制御を続けている間に、温度センサ４０の検出温度が所定のレーザ照射可能温度（例えば、５℃）に到達すると、制御部１７は報知ランプ１２を点灯させ、かつ報知ブザー１３を鳴動させることにより、レーザ照射可能状態になったことを術者に報知する。
【００４２】
上記報知を受けた後、術者は、足元でフットスイッチ１４をオンまたはオフ操作し、上述したレーザ照射可能温度まで冷却された患部へのレーザ光の照射と照射停止を適宜に行いながら治療を施す。
【００４３】
フットスイッチ１４がオン操作されると、制御部１７は、例えば、レーザ光源１５がオン状態に駆動する。これにより、レーザ光源１５からは上述した波長を持つレーザ光が出射され、該レーザ光はファイバーケーブル３１を通じてハンドピース２０側のスキャナヘッド２１内の光学系に導光され、該光学系での操作により患部に照射される。
【００４４】
また、制御部１７は、上記レーザ光源１５をオン状態に駆動するのと同時に、通信ケーブル３３を介して、スキャナヘッド２１内の光学系を構成する第１ガルバノメータ２１３ａ，第２ガルバノメータ２１４ａに対してレーザ光を走査するための制御信号を送出する。
【００４５】
第１ガルバノメータ２１３ａ，第２ガルバノメータ２１４ａは上記制御信号に基づき駆動され、スキャナヘッド２１内の光学系に導光される上記レーザ光を患部に向けて走査する。
【００４６】
図４は本発明のレーザ治療装置におけるレーザ治療時のレーザ走査態様を示す概念図である。
【００４７】
図４において、スキャナヘッド２１内には、ミラー２１１、コリメータレンズ２１２、第１ミラー２１３およびこれを駆動する第１ガルバノメータ２１３ａ、第２ミラー２１４およびこれを駆動する第２ガルバノメータ２１４ａ、集光レンズ２１５から成る光学系が備わる。
【００４８】
第１ガルバノメータ２１３ａと第２ガルバノメータ２１４ａは、それぞれ第１ミラー２１３と第２ミラー２１４を駆動して回転させることで、ＸＹ方向の各々にレーザ光の照射位置を揺動させ、広範囲に渡って治療用レーザ光を走査する。
【００４９】
具体的には、図４において、ファイバーケーブル３１からスキャナヘッド２１内に導光されたレーザ光は、ミラー２１１により光軸を曲げられ、コリメータレンズ２１２により平行光束にされた後、第１ミラー２１３、第２ミラー２１４でＸＹ方向に振られ、集光レンズ２１５により直径５ｍｍ程度の円形スポット光として治療部位に照射される。
【００５０】
この時、集光レンズ２１５を通過後のレーザ光は、図４に示すように、冷却ユニット２５を構成するペルチェモジュール２６の光通過部を通過して治療部位（患部）に照射される。
【００５１】
具体的には、上記レーザ光は、ペルチェモジュール２６の上側基板２６３の切抜き部２６４内の領域に入射し、熱電変換素子未配列領域を通過し、更に透明部材（サファイアガラス）から成る下側の基板２６１を透過して当該基板２６１の下面が当接される皮膚（患部）に照射される。
【００５２】
一方、このレーザ治療装置では、上述した如く、温度センサ４０の検出温度がレーザ照射可能温度（５℃）に到達した後、制御部１７では、該レーザ照射可能温度が維持されるようにペルチェモジュール２６を駆動制御する。
【００５３】
これにより、ペルチェモジュール２６の下側基板２６１（冷却板）を通じて患部が上記レーザ照射可能温度（５℃）を保ったままレーザ光を照射して治療を進めることができる。
【００５４】
本発明に係わるレーザ治療装置の構造（図４参照）によれば、上記治療中、ペルチェモジュール２６の冷却板側である下側基板２６１がレーザ光の照射部位（患部）に直接当接されている。
【００５５】
ここで、冷却板側である下側基板２６１は１枚の透明部材で構成され、レーザ光の照射部位（患部）に当接される部分も当然ながら当該冷却板の一部を成している。
【００５６】
つまり、本発明のレーザ治療装置は、ペルチェ冷却装置の冷却面に開口部を設け、該開口部に介挿したレンズ等の部材を介して患部を間接的に冷却する従来装置とは違って、熱電変換素子モジュールの冷却面を患部に直接当接させて冷却することが可能となり、患部の冷却効率を大幅に向上させることができる。
【００５７】
また、本発明では、スキャナヘッド２１と冷却ユニット２５は適宜な距離だけ離間して配置され、しかも冷却ユニット２５の上面が露出して該上面からその内部を覗き込めるようになっている。
【００５８】
これにより、ペルチェモジュール２６の上側基板２６３の切抜き部２６４の大きさを適宜な大きさとすることにより、術者からこの切抜き部２６３を通してレーザ光の照射ポイント（治療対象の患部）を直接見ることも可能である。
【００５９】
このため、術者は、その治療ポイントの状態を観察しながら、より安全かつ適切なレーザ治療が行える。
【００６０】
なお、本発明のレーザ治療装置では、冷却ユニット２５を構成するペルチェモジュール２６において、上下の基板間を通って光を透過させる光通過部の実現方法としては図２に示す構造の他にも様々な構造が考えられる。
【００６１】
例えば、図５（ａ）に上面図を示し、同図（ｂ）に同図（ａ）の側面図を示すペルチェモジュール２６Ａのように、下側基板２６１のみならず、上側基板２６３もサファイアガラス等の透明部材を構造としても良い。
【００６２】
この場合には、両基板２６１と２６３間に挟持する熱電変換素子２６５を配列しない未配列領域を設けることによって、当該ペルチェモジュール２６Ａは、両基板２６１，２６３たる透明部材と該両基板２６１，２６３間の熱電変換素子未配列領域とによって、両基板２６１，２６３を通って光を通過する光通過部が形成されたものとなる。
【００６３】
そして、このペルチェモジュール２６Ａを、図４におけるペルチェモジュール２６のように、冷却側となるべく駆動される下側基板２６１が患部との接触面を成し、かつ、スキャナヘッド２１からの光が上側基板２６３と下側基板２６１間の上記光通過部を通って患部に照射されるように配置すれば、当該ペルチェモジュール２６と同様の運用が可能になる。
【００６４】
また、ポイント的にレーザ光が照射される（図４参照）患部をより効率良く冷却することを考えれば、上述したペルチェモジュール２６、２６Ａにおいて、上下両基板２６１，２６３間に挟持される熱電変換素子２６５の配列を上記ポイントを囲んで環状（環の中心部が光通過部を形成する）となるように配置しても良い。
【００６５】
また、ペルチェモジュール２６，２６Ａにおいて、下側基板２６１、上側基板２６３として用いる透明部材は、例えばダイヤモンドをコーティングしたガラス等、サファイアガラス以外の透明部材であっても良い。
【００６６】
この他、本発明は、上記し、且つ図面に示す実施形態に限定することなく、その要旨を変更しない範囲内で適宜変形して実施できるものである。
【００６７】
例えば、図２に示す構成において、ペルチェモジュール２６をその下側基板２６１が冷却するように駆動すると、上側基板２６３が発熱するが、この発熱を効率良く放熱するために、当該基板２６３内部に放熱水を通流させる等の放熱機構を付加しても良い。
【００６８】
また、皮膚の治療に用いる光も、レーザ光に限らず、種々の光を用いることができる。
【００６９】
【発明の効果】
以上説明したように、本発明によれば、上側と下側の両基板の間にＰ型とＮ型の熱電変換素子を挟持して成る熱電変換素子モジュールであって、下側基板若しくは両基板が透明部材から構成され、基板たる透明部材と両基板間の熱電変換素子未配列領域とによって、両基板を通って光を通過する光通過部が形成される熱電変換素子モジュールを用いて冷却ユニットを構成し、該冷却ユニットを、冷却側となるべく駆動される下側基板が患部との接触面を成し、かつ照射光学系からの光が上側と下側の基板間の光通過部を通って患部に照射されるように配置したものである。
【００７０】
かかる構成によれば、冷却面である下側基板は１枚の透明部材で構成され、その中の一部分（光通過部に相当する部分）が患部に直接当接されるため、結果として、熱電変換素子モジュールの冷却面を患部に直接当接させて冷却することが可能となり、ペルチェ冷却装置の冷却面に開口部を設け、該開口部に介挿したレンズ等の透明部材を介して患部を間接的に冷却する構造に比べて、患部の冷却効率を大幅に向上させることができる。
【図面の簡単な説明】
【図１】本発明に係わるレーザ治療装置の全体構成を示す図。
【図２】ハンドピースの冷却ユニットの構造を示す図。
【図３】本発明に係わるレーザ治療装置の制御系の構成を示すブロック図。
【図４】本発明のレーザ治療装置におけるレーザ治療時のレーザ走査態様を示す概念図。
【図５】本発明のレーザ治療装置の熱電変換素子モジュールの他の構成例を示す図。
【符号の説明】
１０  装置本体部
１１  ＬＣＤパネル
１２  報知ランプ
１３  報知ブザー
１４  フットスイッチ
１５，１６  レーザ光源
１７  制御部
２０  ハンドピース
２１  スキャナヘッド
２１３ａ  第１ガルバノメータ
２１４ａ  第２ガルバノメータ
２３  スキャナ支持部
２５  冷却ユニット
２６，２６Ａ  熱電変換素子モジュール（ペルチェモジュール）
２６１，２６３  基板
２６４  切抜き部
２６５  熱電変換素子
２７  ウィンドウフレーム
２７１  スライド孔
２７２  止めねじ
３０  集中ケーブル
３１  ファイバーケーブル
３３  通信ケーブル
４０  温度センサ
【図１】
2004215837.tif 000003
【図２】
2004215837.tif 000004
【図３】
2004215837.tif 000005
【図４】
2004215837.tif 000006
【図５】
2004215837.tif 000007